(57)【特許請求の範囲】
【請求項１】
医療用の画像を撮像する撮像手段を有する医療装置と接続され、該医療装置で得られた画像を記録する機能を有する医療用画像ファイル装置において、
前記医療装置と接続される接続端と、
前記医療装置から出力された信号を処理する信号処理回路と、
前記接続端と前記信号処理回路との間に設けられ、前記接続端と前記信号処理回路との間を電気的に絶縁した状態で信号を伝える絶縁手段と、
を具備したことを特徴とする医療用画像ファイル装置。
【発明の詳細な説明】
【０００１】
【発明の属する技術分野】
本発明は、内視鏡画像の記録等を行うための医療施設で使用される医療用画像ファイル装置に関する。
【０００２】
【従来の技術】
近年、細長の挿入部を体腔内に挿入し、固体撮像素子等の撮像手段を用いて撮像した体腔内臓器等をモニタ画面により観察し、検査あるいは診断することのできる内視鏡装置が広く用いられている。
【０００３】
このような内視鏡装置においては、電子内視鏡等で撮像した内視鏡画像を記録し、後のレビュー等に有効に利用できるように画像ファイル装置を接続してシステムとして使用される状況にあり、使いやすいシステムが望まれている。この種のシステムに関する先行例として、特開平６−３２５１４１号公報や特開平８−２４１３９５号公報において、オンラインによる内視鏡画像ファイリングシステムが提案されている。
【０００４】
上記先行例のようなオンラインの内視鏡画像ファイリングシステムでは、内視鏡観測装置，画像圧縮伸長装置，パソコン等の各装置に設けられる二次回路の信号ラインは、ビデオ信号ケーブル，通信ケーブル等で互いに接続されている。このため、画像圧縮伸長装置やパソコン等の一次回路−二次回路間の絶縁が厳重になっていない場合は、二次回路に漏れ電流が発生することがあり、この漏れ電流が内視鏡観測装置の二次回路に流れ込み、結果として内視鏡観測装置の患者回路の漏れ電流を増加させて、漏れ電流量が医療機器の電気規格を超えてしまうおそれがあった。
【０００５】
この不具合を防ぐため、従来では、画像圧縮伸長装置やパソコン等の一次電源線は絶縁トランスを経由して電源供給することにより、装置の二次回路における漏れ電流を無くし、内視鏡観測装置の患者回路への漏れ電流の増加を防ぐような手段が採られていた。
【０００６】
【発明が解決しようとする課題】
しかしながら、前述したような従来の漏れ電流防止手段では、絶縁トランスは一般に大きく重いため大きな配設スペースを要することと、絶縁トランスの出力の電圧変動を避けるためシステム全体の消費電力が制限されるという欠点があった。
【０００７】
また、上記先行例には特に示されていないが、病院等の医療施設内の大型コンピュータと画像圧縮伸長装置とを専用通信回線で接続するような場合、一次回路−二次回路間の漏れ電流の他に、この専用通信回線によって二次回路の漏れ電流が発生するという問題点もあった。
【０００８】
本発明は、これらの事情に鑑みてなされたもので、大型の絶縁トランスを使用することなく、医療機器とは直接接続されない他の装置との間のケーブル接続による内視鏡観測装置の二次回路への漏れ電流を無くし、患者回路への漏れ電流を防ぐことが可能な医療用画像ファイル装置を提供することを目的としている。
【０００９】
【課題を解決するための手段】
本発明による医療用画像ファイル装置は、医療用の画像を撮像する撮像手段を有する医療装置と接続され、該医療装置で得られた画像を記録する機能を有する装置において、前記医療装置と接続される接続端と、前記医療装置から出力された信号を処理する信号処理回路と、前記接続端と前記信号処理回路との間に設けられ、前記接続端と前記信号処理回路との間を電気的に絶縁した状態で信号を伝える絶縁手段と、を具備したものである。
【００１０】
【発明の実施の形態】
以下、図面を参照して本発明の実施の形態を説明する。
図１及び図２は本発明の第１の実施形態に係り、図１は画像ファイル装置の主要部の構成を示すブロック図、図２はフォトカプラの内部構成を示す説明図である。
【００１１】
本実施形態では、内視鏡画像ファイリングシステムにおける１台の内視鏡観測装置と画像圧縮伸長装置とが接続される部分を例に示して説明する。なお図示しないが、特開平８−２４１３９５号公報の構成と同様に、前記内視鏡観測装置と画像圧縮伸長装置のセットが単数または複数設けられ、このセットにケーブル等を介して圧縮画像データを記録するファイルサーバ，記録画像を再生する画像再生装置などが接続されることにより、内視鏡画像ファイリングシステムが構成される。
【００１２】
画像ファイル装置は、内視鏡により結像した内視鏡像を撮像する内視鏡観測装置１と、内視鏡観測装置１からの画像に対して圧縮伸長等の信号処理を行う画像圧縮伸長装置２と、これらの内視鏡観測装置１及び画像圧縮伸長装置２の制御操作を行うパーソナルコンピュータ（以下、パソコンと略記する）３とを有して構成される。
【００１３】
内視鏡観測装置１と画像圧縮伸長装置２とは、ビデオ信号ケーブル４，５及び通信ケーブル６により接続されている。ビデオ信号ケーブル４，５は、Ｒ，Ｇ，Ｂの各色成分信号と同期信号との４つの信号をそれぞれ伝送するものであり、内視鏡観測装置１と画像圧縮伸長装置２との間で双方向に画像信号を送受可能となっている。
【００１４】
また、画像圧縮伸長装置２とパソコン３とは、高速通信ケーブル７で接続され、画像信号等に関連する信号伝送がなされるようになっている。さらに、画像圧縮伸長装置２には、一次電源線８を介して商用電源９が接続され、商用電源９からの電力が供給されている。
【００１５】
画像圧縮伸長装置２の内部は、互いに絶縁された第１回路１１と第２回路１２との二つの回路により構成されている。第１回路１１は、一次電源線８が直接接続されており、商用電源９からの電力供給を受けてスイッチング電源回路１４により直流電圧を得て、これを電源として各部で使用するようになっている。第２回路１２は、絶縁トランス１３を介して一次電源線８と接続されており、絶縁トランス１３を通して供給される商用電源９からの電力を受けて電源回路１５により直流電圧を得て、これを電源として各部で使用するようになっている。前記絶縁トランス１３は、第２回路１２で使用する電力のみ一次電源線８との絶縁を確保しつつ伝送するものであり、小型軽量のもので構成されている。
【００１６】
第２回路１２は、アナログ−デジタルの信号変換をそれぞれ行うＡ／Ｄコンバータ１６，Ｄ／Ａコンバータ１７を有して構成され、一方、第１回路１１は、画像信号を記憶するビデオメモリ１８，フィールドメモリ１９、及びデータ通信用の通信インターフェース２０を有して構成される。これらの第１回路１１と第２回路１２との間は、フォトカプラ２１，２２，２３，２４，２５を介して接続され、これらのフォトカプラ２１〜２５により両者を絶縁した状態で信号が伝送されるようになっている。
【００１７】
図２にフォトカプラ２１〜２５の内部構成を示す。フォトカプラは、入力側にＬＥＤ等の発光素子２６を、出力側に受光素子２７をそれぞれ有して構成されており、入力側には発光素子２６の入力端子が設けられ、出力側には受光素子２７の電源端子とデジタル出力端子とが設けられている。
【００１８】
次に、本実施形態の画像ファイル装置における上記構成部分の動作を説明する。内視鏡を用いて撮像した内視鏡像の画像信号は、内視鏡観測装置１より出力されてビデオ信号ケーブル４を介して画像圧縮伸長装置２へ伝送される。ここでは、Ｒ，Ｇ，Ｂのうちの一つの色成分信号のみを代表して図１を基に説明する。
【００１９】
ビデオ信号ケーブル４を経由して画像圧縮伸長装置２の第２回路１２に入力された色成分信号は、Ａ／Ｄコンバータ１６によりアナログ信号からデジタル信号に変換され、フォトカプラ２１に送られる。フォトカプラ２１では、入力端子に供給されたデジタル信号により発光素子２６が駆動され、発光素子２６の光が受光素子２７で受光されて出力端子よりデジタル信号が出力されることにより、絶縁状態で第１回路１１へデジタル信号が伝送される。フォトカプラ２１より出力されるデジタル信号は、ビデオメモリ１８に入力されてデジタルの色成分信号として記憶される。なお図示していないが、他の色成分信号についても同様に処理され、フォトカプラを介して伝送されてビデオメモリ１８に記憶される。
【００２０】
なお、図１ではＡ／Ｄコンバータ１６を１ビット分解能とした場合の構成例を示してあり、例えばＡ／Ｄコンバータ１６が８ビット分解能である場合、フォトカプラ２１は一つの色成分につき８系統必要となる。
【００２１】
また、画像圧縮伸長装置２の第２回路１２に入力された同期信号は、Ａ／Ｄコンバータ１６を使用しない点を除き前記色成分信号と同様な処理が行われ、第１回路１１に伝送される。
【００２２】
画像圧縮伸長装置２の第１回路１１に設けられたフィールドメモリ１９より出力される色成分信号は、フォトカプラ２２に送られて第２回路１２へと伝送される。フォトカプラ２２では、入力端子に供給されたデジタル信号により発光素子２６が駆動され、発光素子２６の光が受光素子２７で受光されて出力端子よりデジタル信号が出力されることにより、絶縁状態で第２回路１２へデジタル信号が伝送される。フォトカプラ２２より出力されるデジタル信号は、Ｄ／Ａコンバータ１７によりアナログ信号に変換され、画像信号中の一色成分信号としてビデオ信号ケーブル５を介して内視鏡観測装置１に伝送される。なお図示していないが、他の色成分信号についても同様に処理され、フォトカプラを介して伝送されて内視鏡観測装置１へ送出される。
【００２３】
なお、図１ではＤ／Ａコンバータ１７を１ビット分解能とした場合の構成例を示してあり、例えばＤ／Ａコンバータ１７が８ビット分解能である場合、フォトカプラ２２は一つの色成分につき８系統必要となる。
【００２４】
また、画像圧縮伸長装置２の第１回路１１より出力される同期信号は、Ｄ／Ａコンバータ１７を使用しない点を除き前記色成分信号と同様な処理が行われ、第２回路１２を経由して内視鏡観測装置１に伝送される。
【００２５】
また、第２回路１２に設けられたＡ／Ｄコンバータ１６及びＤ／Ａコンバータ１７の動作に必要なクロック信号は、フォトカプラ２３により第１回路１１から第２回路１２へ伝送されて供給される。
【００２６】
さらに、通信ケーブル６によって伝送される信号は、フォトカプラ２４，２５を経由して第１回路１１と第２回路１２間を伝送され、内視鏡観測装置１と画像圧縮伸長装置２の通信インターフェース２０との間で信号のやりとりがなされる。
【００２７】
なお、ビデオメモリ１８，フィールドメモリ１９，通信インターフェース２０における処理動作は、特開平８−２４１３９５号公報に記載されたものとほぼ同様であるため、ここでは説明を省略する。
【００２８】
このように、検査の際に内視鏡を用いて撮像されて内視鏡観測装置１より出力される内視鏡像の画像信号は、ビデオ信号ケーブル４を介して画像圧縮伸長装置２へ伝送され、高速通信ケーブル７を介してパソコン３へと送られ、図示しないファイルサーバ等に画像データが記録される。また、後の観察や診断の際にパソコン３等によってファイルサーバ上の画像データの検索が行われて読み出された画像データは、パソコン３を経由して画像圧縮伸長装置２へ伝送され、ビデオ信号ケーブル５を介して内視鏡観測装置１へと送られ、図示しないモニタに表示される。
【００２９】
本実施形態の構成では、ビデオ信号ケーブル４，５及び通信ケーブル６は、一次電源線８及びパソコン３等からフォトカプラ２１，２２，２３，２４，２５と絶縁トランス１３とにより完全に絶縁されており、これにより、内視鏡観測装置１の二次回路への漏れ電流を無くすことができるため、内視鏡観測装置１およびその先の患者回路における漏れ電流の増加を防ぐことができる。
【００３０】
また、絶縁トランス１３は、画像圧縮伸長装置２の第２回路１２で必要な電力のみ供給するものでよいため、小型軽量にすることができ、従来のように大型で重い絶縁トランスを使用しなくても内視鏡観測装置１等の医療機器との間で十分な絶縁を確保した画像ファイル装置を構成できる。
【００３１】
図３ないし図８は本発明の第２の実施形態に係り、図３は画像ファイル装置の主要部の構成を示すブロック図、図４ないし図６は画像圧縮伸長装置内に設けられる絶縁伝送モジュールの構成を示すブロック図、図７及び図８は絶縁伝送モジュールの動作波形を示すタイミングチャートである。
【００３２】
第２の実施形態は、前述した第１の実施形態の画像圧縮伸長装置２における第１回路１１と第２回路１２との間のフォトカプラ２１，２２，２３に代えて、絶縁伝送モジュール３１，３２，３３を設けた構成例である。その他の部分の構成は第１の実施形態と同様であるので、説明を省略する。
【００３３】
画像圧縮伸長装置２の第１回路１１と第２回路１２との間は、絶縁伝送モジュール３１，３２，３３及びフォトカプラ２４，２５によって接続され、両者を絶縁した状態で信号が伝送されるようになっている。
【００３４】
図４にクロック信号を伝送する絶縁伝送モジュール３３の内部構成を示す。絶縁伝送モジュール３３は、第１回路１１側に第１クロック生成回路３４が設けられ、フォトカプラ３５を介して第２回路１２側に設けられた第２クロック生成回路３６と接続されるような構造となっている。
【００３５】
図５に内視鏡観測装置１から入力された画像信号をデジタル変換したものを第１回路１１側のビデオメモリ１８に伝送する絶縁伝送モジュール３１の内部構造及びその周辺部の構成を示す。絶縁伝送モジュール３１は、入力側にフリップフロップ３７，３８、出力側に出力コントロール端子付きフリップフロップ３９，４０を有し、これらのフリップフロップ（３７と３９，３８と４０の間）がフォトカプラ４１，４２で接続されたもので構成されており、入出力間で並列に二つの伝送経路が形成されている。
【００３６】
図６に画像圧縮伸長装置２のフィールドメモリ１９より出力されるデジタルの画像信号を第２回路１２側に伝送する絶縁伝送モジュール３２の内部構造及びその周辺部の構成を示す。絶縁伝送モジュール３２は、入力側にフリップフロップ４３，４４、出力側に出力コントロール端子付きフリップフロップ４５，４６を有し、これらのフリップフロップ（４３と４５，４４と４６の間）がフォトカプラ４７，４８で接続されたもので構成されており、入出力間で並列に二つの伝送経路が形成されている。
【００３７】
次に、本実施形態の画像ファイル装置における上記構成部分の動作を説明する。絶縁伝送モジュール３３は、第１回路１１から第２回路１２に各部の動作に必要なクロック信号を伝送・生成する。
【００３８】
このとき、第１クロック生成回路３４は、第１回路１１で生成される基準クロック信号（ＣＬＯＣＫ０信号）を２分周してＣＬＫ０１，ＣＬＫ０２，ＯＥ０１，ＯＥ０２信号を生成する。フォトカプラ３５は、ＣＬＫ０１信号を絶縁した状態で第２回路１２側へ伝送し、この信号をＰＨ信号として第２クロック生成回路３６と第２回路１２の他の回路に送る。
【００３９】
第２クロック生成回路３６は、内部のＰＬＬ回路によりＰＨ信号の２倍の周波数クロックのＣＬＯＣＫ１，ＣＬＯＣＫ２信号を生成する。なお、ＣＬＯＣＫ１とＣＬＯＣＫ２は逆相のクロック信号で、ＰＨ信号の立ち上がりとＣＬＯＣＫ２信号の立ち上がりとが揃うようになっている。また、ＣＬＯＣＫ１，ＣＬＯＣＫ２信号を２分周してＣＬＫ１１，ＣＬＫ１２，ＣＬＫ２１，ＣＬＫ２２，ＯＥ２１，ＯＥ２２信号を生成する。
【００４０】
これらのクロック信号のタイミングチャートを図７及び図８に示す。これらのクロック信号は、絶縁伝送モジュール３１，３２に供給される。図７は図５の絶縁伝送モジュール３１に関する動作波形を、図８は図６の絶縁伝送モジュール３２に関する動作波形をそれぞれ示したものである。すなわち、絶縁伝送モジュール３１，３２は、並列に設けられた二つの伝送経路においてフォトカプラが交互に動作して信号の伝送がなされるようになっている。
【００４１】
絶縁伝送モジュール３１は、内視鏡観測装置１からビデオ信号ケーブル４を介して画像圧縮伸長装置２の第２回路１２に入力された画像信号をＡ／Ｄコンバータ１６でデジタル変換したものを、第２回路１２から第１回路１１へ伝送するものであり、Ａ／Ｄコンバータ１６より出力されるＡ／ＤＤＡＴ信号は、フォトカプラ４１，４２によって絶縁された状態でビデオメモリ１８にＶＲＡＭＩＮ信号として伝送される。そして、このビデオメモリ１８内に伝送されてきた内視鏡観測装置１からの画像信号が記憶される。
【００４２】
絶縁伝送モジュール３２は、画像圧縮伸長装置２のフィールドメモリ１９より出力されるデジタルの画像信号を第１回路１１から第２回路１２へ伝送するものであり、フィールドメモリ１９より出力されるＦＭＯＵＴ信号は、フォトカプラ４７，４８によって絶縁された状態でＤ／Ａコンバータ１７にＤ／ＡＤＡＴ信号として伝送される。そして、Ｄ／Ａコンバータ１７でアナログ信号に変換された画像信号は、ビデオ信号ケーブル５を介して内視鏡観測装置１に送出される。
【００４３】
なお、絶縁伝送モジュール３１，３２，３３に設けられるフォトカプラ３５，４１，４２，４７，４８は、第１の実施形態において第１回路１１と第２回路１２の間に用いたものと同様のものである。
【００４４】
以上に図示した構成例は、説明を簡単にするため、画像信号におけるＲ，Ｇ，Ｂのうちの一つの色成分の１ビット分を示したものであり、他の色成分、及び２ビット以上の信号については、同様の回路が複数必要となる。また、同期信号は、第１の実施形態と同様な処理によって伝送される。
【００４５】
第２の実施形態の構成においても、第１の実施形態と同様に、ビデオ信号ケーブル４，５及び通信ケーブル６は、一次電源線８及びパソコン３等から絶縁伝送モジュール３１，３２，３３及びフォトカプラ２４，２５と絶縁トランス１３とにより完全に絶縁されており、これにより、内視鏡観測装置１の二次回路への漏れ電流を無くすことができるため、内視鏡観測装置１およびその先の患者回路における漏れ電流の増加を防ぐことができる。また、絶縁トランス１３は、画像圧縮伸長装置２の第２回路１２で必要な電力のみ供給するものでよいため、小型軽量にすることができる。
【００４６】
さらに、第２の実施形態では、絶縁伝送モジュール内にフォトカプラを２個並列に設けて伝送信号の帯域を２倍としており、１個のフォトカプラあたりのデジタルデータの伝送レートが第１の実施形態におけるフォトカプラの半分になることから、各フォトカプラを高速に動作させなくても済むため、より低速なフォトカプラであっても使用することができる。もちろん、一般にＮ（整数）個のフォトカプラを並列に設けて伝送信号の帯域をＮ倍としてもよい。
【００４７】
図９及び図１０は本発明の第３の実施形態に係り、図９は画像ファイル装置の主要部の構成を示すブロック図、図１０はアナログフォトカプラの内部構成を示す説明図である。
【００４８】
第３の実施形態は、前述した第１の実施形態の画像圧縮伸長装置２における第１回路１１と第２回路１２との間のフォトカプラ２１，２２，２３に代えて、アナログフォトカプラ５１，５２を設けた構成例である。その他の部分の構成は第１の実施形態と同様であるので、説明を省略する。
【００４９】
画像圧縮伸長装置２の第１回路１１と第２回路１２との間は、アナログフォトカプラ５１，５２及びフォトカプラ２４，２５によって接続され、両者を絶縁した状態で信号が伝送されるようになっている。なお、本実施形態では第１回路１１側にＡ／Ｄコンバータ１６及びＤ／Ａコンバータ１７を設けているため、第１回路１１と第２回路１２との間でクロック信号を伝送する必要がなく、クロック信号伝送用のフォトカプラは設けられていない。
【００５０】
図１０にアナログフォトカプラ５１，５２の内部構成を示す。フォトカプラは、入力側にＬＥＤ等の発光素子５３を、出力側に受光素子５４をそれぞれ有して構成されており、入力側には発光素子５３の入力端子が設けられ、出力側には受光素子５４の電源端子とアナログ出力端子とが設けられている。
【００５１】
次に、本実施形態の画像ファイル装置における上記構成部分の動作を説明する。ここでは、Ｒ，Ｇ，Ｂのうちの一つの色成分信号のみを代表して図９を基に説明する。
【００５２】
ビデオ信号ケーブル４を経由して画像圧縮伸長装置２の第２回路１２に入力された色成分信号は、アナログフォトカプラ５１に送られて第１回路１１へと伝送される。アナログフォトカプラ５１では、入力端子に供給されたアナログ信号により発光素子５３が駆動され、発光素子５３の光が受光素子５４で受光されて出力端子よりアナログ信号が出力されることにより、絶縁状態で第１回路１１へアナログ信号が伝送される。アナログフォトカプラ５１より出力されるアナログ信号は、Ａ／Ｄコンバータ１６によりデジタル信号に変換され、ビデオメモリ１８に入力されてデジタルの色成分信号として記憶される。
【００５３】
なお図示していないが、他の色成分信号についても同様に処理され、アナログフォトカプラを介して伝送されてビデオメモリ１８に記憶される。また、画像圧縮伸長装置２の第２回路１２に入力された同期信号は、第１の実施形態と同様な処理によって第１回路１１に伝送される。
【００５４】
画像圧縮伸長装置２の第１回路１１に設けられたフィールドメモリ１９より出力される色成分信号は、Ｄ／Ａコンバータ１７によりデジタル信号からアナログ信号に変換され、アナログフォトカプラ５２に送られる。アナログフォトカプラ５２では、入力端子に供給されたアナログ信号により発光素子５３が駆動され、発光素子５３の光が受光素子５４で受光されて出力端子よりアナログ信号が出力されることにより、絶縁状態で第２回路１２へアナログ信号が伝送される。アナログフォトカプラ５２より出力されるアナログ信号は、画像信号中の一色成分信号としてビデオ信号ケーブル５を介して内視鏡観測装置１に伝送される。
【００５５】
なお図示していないが、他の色成分信号についても同様に処理され、アナログフォトカプラを介して伝送されて内視鏡観測装置１に伝送される。また、画像圧縮伸長装置２の第１回路１１より出力される同期信号は、第１の実施形態と同様な処理によって第２回路１２を経由して内視鏡観測装置１に伝送される。
【００５６】
第３の実施形態の構成においても、第１の実施形態と同様に、ビデオ信号ケーブル４，５及び通信ケーブル６は、一次電源線８及びパソコン３等からアナログフォトカプラ５１，５２及びフォトカプラ２４，２５と絶縁トランス１３とにより完全に絶縁されており、これにより、内視鏡観測装置１の二次回路への漏れ電流を無くすことができるため、内視鏡観測装置１およびその先の患者回路における漏れ電流の増加を防ぐことができる。また、絶縁トランス１３は、画像圧縮伸長装置２の第２回路１２で必要な電力のみ供給するものでよいため、小型軽量にすることができる。
【００５７】
さらに、第３の実施形態の構成は、Ａ／Ｄコンバータ１６及びＤ／Ａコンバータ１７以降の部分をアナログビデオディスクレコーダに置き換えることにより、特開平４−２５２３８１号公報、特開平２−１２４１２９号公報に開示されているようなアナログ画像記録再生装置を使用した画像ファイル装置に適用することもできる。もちろん、第１の実施形態のフォトカプラ２１の出力を図示しないＤ／Ａコンバータに入力すると共に、図示しないＡ／Ｄコンバータの出力をフォトカプラ２２に入力して、Ｄ／Ａコンバータの出力，Ａ／Ｄコンバータの入力をアナログ画像記録再生装置に接続し、画像の記録再生を行う画像ファイル装置に適用することもできる。
【００５８】
図１１は本発明の第４の実施形態に係る画像ファイル装置の主要部の構成を示すブロック図である。
【００５９】
第４の実施形態は、図１に示した第１の実施形態の構成に加えて、画像圧縮伸長装置２の通信インターフェース２０に光通信ケーブル６１を介して大型コンピュータ６２を接続した構成例である。その他の部分の構成は第１の実施形態と同様であるので、説明を省略する。
【００６０】
光通信ケーブル６１は、光ファイバ等から構成されており、ケーブル自体に絶縁機能を有している。すなわち、光通信ケーブル６１によって、装置間を絶縁した状態で接続し、光学的に信号を伝送できるようになっている。
【００６１】
第４の実施形態の構成においても、第１の実施形態と同様に、ビデオ信号ケーブル４，５及び通信ケーブル６は、一次電源線８、パソコン３及び大型コンピュータ６２等からフォトカプラ２１，２２，２３，２４，２５、絶縁トランス１３及び光通信ケーブル６１により完全に絶縁されており、これにより、内視鏡観測装置１の二次回路への漏れ電流を無くすことができるため、内視鏡観測装置１およびその先の患者回路における漏れ電流の増加を防ぐことができる。また、絶縁トランス１３は、画像圧縮伸長装置２の第２回路１２で必要な電力のみ供給するものでよいため、小型軽量にすることができる。
【００６２】
なお、上述した各実施例において、絶縁トランス１３を使用せずに、代わりに電池等を使用して構成してもよい。また、絶縁トランス１３をパルストランスに置き換え、第１回路１１のスイッチング電源回路１４出力の直流電源から（ビデオ水平同期周波数等の）スイッチング電流を生成して、パルストランスを介して第２回路１２に電源供給を行ってもよい。この場合、よりトランスを小型軽量化することができる。
【００６３】
もちろん、内視鏡観測装置１と画像圧縮伸長装置２を一体の筐体として構成してもよい。
【００６４】
［付記］
（１）  医療用の画像を撮像する撮像手段を有する医療装置と接続され、該医療装置で得られた画像を記録する機能を有する医療用画像ファイル装置において、前記医療装置と接続される接続端と、
前記医療装置から出力された信号を処理する信号処理回路と、
前記接続端と前記信号処理回路との間に設けられ、前記接続端と前記信号処理回路との間を電気的に絶縁した状態で信号を伝える絶縁手段と、
を具備したことを特徴とする医療用画像ファイル装置。
【００６５】
（２）  医療用の画像を撮像する撮像手段を有する医療装置と接続され、該医療装置で得られた画像を記録する機能を有する医療用画像ファイル装置において、
前記医療装置と接続される医療装置接続端と、
前記医療装置から出力された信号を処理する信号処理回路と、
前記信号処理回路で処理された信号を外部に出力可能な外部出力端子と、
前記医療装置接続端と前記信号処理回路との間に設けられ、前記医療装置接続端と前記信号処理回路との間を電気的に絶縁した状態で信号を伝える絶縁手段と、
を具備したことを特徴とする医療用画像ファイル装置。
【００６６】
（３）  医療用の画像を撮像する撮像手段を有する医療装置と接続され、該医療装置で得られた画像を記録する機能を有する医療用画像ファイル装置において、
前記医療装置と接続される医療装置接続端と、
前記医療装置から出力された信号を処理する信号処理回路と、
前記信号処理回路で処理された信号を外部画像記録装置に出力する出力手段と、
前記医療装置接続端と前記信号処理回路との間に設けられ、前記医療装置接続端と前記信号処理回路との間を電気的に絶縁した状態で信号を伝える絶縁手段と、
を具備したことを特徴とする医療用画像ファイル装置。
【００６７】
（４）  複数の医療用画像を記録する画像記録装置および画像表示機能を有する医療装置と接続され、該画像記録装置に記録された医療用画像から任意の画像を読み出して前記医療装置に表示させる医療用画像ファイル装置において、
前記画像記録装置から読み出された信号を処理する信号処理回路と、
前記医療装置が接続される医療装置接続端と、
前記信号処理回路と前記医療装置接続端との間に設けられ、前記信号処理回路と前記医療装置接続端との間を電気的に絶縁した状態で信号を伝える絶縁手段と、
を具備したことを特徴とする医療用画像ファイル装置。
【００６８】
（５）  画像の表示または記録機能を有する医療装置と接続されると共に、他の通信機能付き装置と接続可能な医療用画像ファイル装置において、
前記医療装置と接続される医療装置接続端と、
前記他の通信機能付き装置と接続される外部装置接続端と、
前記医療装置接続端と接続される医療用信号処理回路と、
前記外部装置接続端と接続される外部用信号処理回路と、
前記医療装置接続端と前記医療用信号処理回路との間に設けられ、前記医療装置接続端と前記医療用信号処理回路との間を電気的に絶縁した状態で信号を伝える絶縁手段と、
を具備したことを特徴とする医療用画像ファイル装置。
【００６９】
（６）  医療用の画像を撮像する撮像手段を有する医療装置と接続され、該医療装置で得られた画像を記録する機能を有する医療用画像ファイル装置において、
他の外部装置と電気的に接続され、該外部装置との間で信号の入力または出力が可能な第１の回路と、
前記第１の回路とは電気的に絶縁され、前記医療装置における患者回路に対し絶縁された二次回路と電気的に接続されており、前記医療装置との間で信号の入力または出力が可能な第２の回路と、
前記第１の回路と前記第２の回路との間を電気的に絶縁した状態で信号を伝える絶縁手段と、
前記第２の回路の電源電圧生成手段に対して電気的に絶縁した状態で電源を供給する電源絶縁手段と、
を具備したことを特徴とする医療用画像ファイル装置。
【００７０】
（７）  前記絶縁手段は、電気的に絶縁した状態で光学的に信号を伝送する光学式信号伝送絶縁手段である付記６に記載の医療用画像ファイル装置。
【００７１】
（８）  前記絶縁手段は、電気的に絶縁した状態でアナログ信号を伝送するアナログ信号伝送絶縁手段である付記６に記載の医療用画像ファイル装置。
【００７２】
（９）  前記絶縁手段は、電気的に絶縁した状態で光学的にアナログ信号を伝送する光学式アナログ信号伝送絶縁手段である付記６に記載の医療用画像ファイル装置。
【００７３】
（１０）  前記絶縁手段は、電気的に絶縁した状態でデジタル信号を伝送するデジタル信号伝送絶縁手段である付記６に記載の医療用画像ファイル装置。
【００７４】
（１１）  前記絶縁手段は、電気的に絶縁した状態で光学的にデジタル信号を伝送する光学式デジタル信号伝送絶縁手段である付記６に記載の医療用画像ファイル装置。
【００７５】
（１２）  前記デジタル信号伝送絶縁手段をＮ個並列に設け、絶縁手段１個の場合に対して伝送信号の帯域をＮ倍（ただし、Ｎは整数）としたことを特徴とする付記１０に記載の医療用画像ファイル装置。
【００７６】
（１３）  前記光学式デジタル信号伝送絶縁手段をＮ個並列に設け、絶縁手段１個の場合に対して伝送信号の帯域をＮ倍（ただし、Ｎは整数）としたことを特徴とする付記１１に記載の医療用画像ファイル装置。
【００７７】
（１４）  前記電源絶縁手段は、該医療用画像ファイル装置の二次回路の交流電源と接続され、前記第１の回路の電源電圧生成手段に供給されるものと同様の電力を絶縁した状態で前記第２の回路の電源電圧生成手段に供給することを特徴とする付記６に記載の医療用画像ファイル装置。
【００７８】
（１５）  前記電源絶縁手段は、前記第１の回路の電源電圧生成手段の出力端と接続され、前記第１の回路の電源電圧生成手段より出力される電力を絶縁した状態で前記第２の回路の電源電圧生成手段に供給することを特徴とする付記６に記載の医療用画像ファイル装置。
【００７９】
【発明の効果】
以上説明したように本発明によれば、大型の絶縁トランスを使用することなく、医療機器とは直接接続されない他の装置との間のケーブル接続による内視鏡観測装置の二次回路への漏れ電流を無くし、患者回路への漏れ電流を防ぐことが可能な医療用画像ファイル装置を提供できる効果がある。
【図面の簡単な説明】
【図１】本発明の第１の実施形態に係る画像ファイル装置の主要部の構成を示すブロック図
【図２】フォトカプラの内部構成を示す説明図
【図３】本発明の第２の実施形態に係る画像ファイル装置の主要部の構成を示すブロック図
【図４】画像圧縮伸長装置内に設けられるクロック信号伝送用の絶縁伝送モジュールの構成を示すブロック図
【図５】画像圧縮伸長装置内に設けられる入力画像信号伝送用の絶縁伝送モジュールの構成を示すブロック図
【図６】画像圧縮伸長装置内に設けられる出力画像信号伝送用の絶縁伝送モジュールの構成を示すブロック図
【図７】図５に示した絶縁伝送モジュールの動作波形を示すタイミングチャート
【図８】図６に示した絶縁伝送モジュールの動作波形を示すタイミングチャート
【図９】本発明の第３の実施形態に係る画像ファイル装置の主要部の構成を示すブロック図
【図１０】アナログフォトカプラの内部構成を示す説明図
【図１１】本発明の第４の実施形態に係る画像ファイル装置の主要部の構成を示すブロック図
【符号の説明】
１…内視鏡観測装置
２…画像圧縮伸長装置
３…パーソナルコンピュータ（パソコン）
４，５…ビデオ信号ケーブル
６…通信ケーブル
８…一次電源線
９…商用電源
１１…第１回路
１２…第２回路
１３…絶縁トランス
１６…Ａ／Ｄコンバータ
１７…Ｄ／Ａコンバータ
１８…ビデオメモリ
１９…フィールドメモリ
２０…通信インターフェース
２１〜２５…フォトカプラ
【図１】
0003735170.tif 000002
【図２】
0003735170.tif 000003
【図３】
0003735170.tif 000004
【図４】
0003735170.tif 000005
【図５】
0003735170.tif 000006
【図６】
0003735170.tif 000007
【図７】
0003735170.tif 000008
【図８】
0003735170.tif 000009
【図９】
0003735170.tif 000010
【図１０】
0003735170.tif 000011
【図１１】
0003735170.tif 000012